(57)【要約】【課題】負荷が変動した場合においても安定して並列運転を可能とし、従インバータを効率の高い出力範囲で極力運転することが可能なインバータシステムの並列運転装置及びその並列運転方法を提供すること。【解決手段】従インバータ１１から共通の負荷１に供給される電力及び負荷１で消費される消費電力を比較し、前記消費電力が前記従インバータ１１から負荷１に供給される電力より低下したとき、従インバータ１１の制御する制御装置１２の電流制御設定値を下げる並列運転制御装置４を備え、電流制御設定値を下げることで、従インバータ１１からの電力が負荷１に消費されない余剰電力に相当する分が減らされるようにしたインバータシステムの並列運転装置。【選択図】      図１
2006223042.tif 000002
【特許請求の範囲】
【請求項１】
インバータブリッジ及び該インバータブリッジの交流側の交流電圧が一定となるように制御する制御装置を備えた電圧制御方式の主インバータから得られる交流電力、並びに、インバータブリッジ及び該インバータブリッジの交流側の交流電力が一定となるように制御する制御装置を備えた少なくとも１台の電流制御方式の従インバータから得られる交流電力を共通の交流負荷に供給するものであって、前記主インバータ及び前記従インバータの直流側にはそれぞれバッテリ、燃料電池等の直流電源からの直流電力を供給し、前記負荷に電力系統からの交流電力が供給されない構成であって、前記主インバータ及び前記従インバータの並列運転のみで前記負荷に電力を供給するインバータシステムにおいて、
前記従インバータから前記負荷に供給される電力及び前記負荷で消費される消費電力を比較し、前記消費電力が前記従インバータから前記負荷に供給される電力より低下したとき、前記従インバータの制御する制御装置の電流制御設定値を下げる並列運転制御装置を備え、前記電流制御設定値を下げることで、前記従インバータからの電力が前記負荷に消費されない余剰電力に相当する分が減らされるようにしたことを特徴とするインバータシステムの並列運転装置。
【請求項２】
インバータブリッジ及び該インバータブリッジの交流側の交流電圧が一定となるように制御する制御装置を備えた電圧制御方式の主インバータから得られる交流電力、並びに、インバータブリッジ及び該インバータブリッジの交流側の交流電力が一定となるように制御する制御装置を備えた少なくとも１台の電流制御方式の従インバータから得られる交流電力を共通の交流負荷に供給するものであって、前記主インバータ及び前記従インバータの直流側にはそれぞれバッテリ、燃料電池等の直流電源からの直流電力を供給し、前記負荷に電力系統からの交流電力が供給されない構成であって、前記主インバータ及び前記従インバータの並列運転のみで前記負荷に電力を供給するインバータシステムにおいて、
前記負荷と前記インバータとの電気接続線に並列に接続した逆流防止用模擬負荷と、
前記模擬負荷及び前記インバータと前記負荷の電気接続線との間であって前記模擬負荷を電気的に接離する模擬負荷接続手段と、
前記従インバータから前記負荷に供給される電力及び前記負荷で消費される消費電力を比較し、前記消費電力が前記従インバータから前記負荷に供給される電力より低下したとき、前記模擬負荷接続手段に対して前記模擬負荷を電気的に接続するための指令を出力する並列運転制御装置を備え、前記模擬負荷を接続することで、前記従インバータからの電力が前記負荷に消費されない余剰電力に相当する分が下げられるようにしたことを特徴とするインバータシステムの並列運転装置。
【請求項３】
前記負荷で消費される消費電力は、前記負荷に実際に流れる負荷電流を検出する負荷電流検出手段からの検出値と、前記負荷に実際に印加される電圧を検出する電圧検出手段からの検出値に基づいて演算する消費電力演算手段を備えたことを特徴とする請求項１又は請求項２記載のインバータシステムの並列運転装置。
【請求項４】
前記負荷で消費される消費電力は、前記負荷に実際に流れる負荷電流を検出する負荷電流検出手段からの検出値と、前記負荷に印加される非測定の電圧設定値に基づいて前記負荷で消費される消費電力を演算する消費電力演算手段を備えたことを特徴とする請求項１又は請求項２記載のインバータシステムの並列運転装置。
【請求項５】
前記負荷で消費される消費電力は、前記主インバータに実際に印加される前記直流電源の直流電圧を直流電圧検出手段により検出し、予め作成された直流電圧−消費電力の対応関係を示した図から、前記直流電圧検出手段により検出した直流電圧に対応する消費電力を求める消費電力演算手段を備えたことを特徴とする請求項１又は請求項２記載のインバータシステムの並列運転装置。  
【請求項６】
インバータブリッジ及び該インバータブリッジの交流側の交流電圧が一定となるように制御する制御装置を備えた電圧制御方式の主インバータから得られる交流電力、並びに、インバータブリッジ及び該インバータブリッジの交流側の交流電力が一定となるように制御する制御装置を備えた少なくとも１台の電流制御方式の従インバータから得られる交流電力を共通の交流負荷に供給するものであって、前記主インバータ及び前記従インバータの直流側にはそれぞれバッテリ、燃料電池等の直流電源からの直流電力を供給し、前記負荷に電力系統からの交流電力が供給されない構成であって、前記主インバータ及び前記従インバータの並列運転のみで前記負荷に電力を供給するインバータシステムにおいて、
前記従インバータから前記負荷に供給される電力及び前記負荷で消費される消費電力を比較し、前記消費電力が前記従インバータから前記負荷に供給される電力より低下したとき、前記従インバータから前記負荷に供給される電力のうち、前記従インバータ
からの電力が前記負荷に消費されない余剰電力に相当する分だけ減少させるようにしたことを特徴とするインバータシステムの並列運転方法。
【請求項７】
インバータブリッジ及び該インバータブリッジの交流側の交流電圧が一定となるように制御する制御装置を備えた電圧制御方式の主インバータから得られる交流電力、並びに、インバータブリッジ及び該インバータブリッジの交流側の交流電力が一定となるように制御する制御装置を備えた少なくとも１台の電流制御方式の従インバータから得られる交流電力を共通の交流負荷に供給するものであって、前記主インバータ及び前記従インバータの直流側にはそれぞれバッテリ、燃料電池等の直流電源からの直流電力を供給し、前記負荷に電力系統からの交流電力が供給されない構成であって、前記主インバータ及び前記従インバータの並列運転のみで前記負荷に電力を供給するインバータシステムにおいて、
前記従インバータから前記負荷に供給される電力及び前記負荷で消費される消費電力を比較し、前記消費電力が前記従インバータから前記負荷に供給される電力より低下したとき、前記従インバータに対して逆流防止用模擬負荷を電気的に接続することで、前記従インバータからの電力が前記負荷に消費されない余剰電力に相当する分が下げられるようにしたことを特徴とするインバータシステムの並列運転方法。
【発明の詳細な説明】
【技術分野】
【０００１】
本発明は、電圧制御方式の主インバータ及び電流制御方式の従インバータからそれぞれ得られる交流電力を、共通の負荷に供給するインバータシステムの並列運転装置及びその並列運転方法に関する。
【背景技術】
【０００２】
従来、バッテリや燃料電池等の直流電源は直流電力をインバータにより交流電力に変換して利用する形態が一般的である。交流電源の電力系統が無い状態で、負荷へ電力を供給する自立運転時に、複数台のインバータを並列運転させるためには、様々な方式が提案されている。
【０００３】
負荷に流れる総電流を検出する電流検出手段(特許文献１参照)と、各インバータに出力電流を指令する分担制御装置及び電流指令を用いる方式や、各インバータ間の出力電流を検出し、その偏差を補正する回路を用いる方式などがある。
【０００４】
ところで、これらのような構成のインバータにおいては、各インバータの出力電流値を計測すると同時に、電流指令値を演算・出力する回路または、電流偏差を演算・補正する回路が必要となる等、構成が複雑となるという問題があった。
【０００５】
そのようなインバータ回路が複雑になることを回避する手段として、電圧制御の主インバータに対して電流制御の従インバータを連系させる方式がある。
【０００６】
この方式では、電圧制御で運転される主インバータとしては、頻繁かつ、急激な負荷変動に対しても良好な追従が可能なバッテリやキャパシタを直流電源として用いることが望ましい。
【０００７】
一方、電流制御で運転される従インバータとしては、定格出力での一定運転で効率が高く、環境に優しい燃料電池等を直流電源として用いることが効率的にも有利であり望ましい。
【０００８】
図６に従来のインバータシステムの並列運転装置の概要を説明する。インバータ１１は電圧制御を行う主インバータで、直流電源１０はインバータ１１内のインバータブリッジ１２の直流側に接続されている。インバータブリッジ１２の交流出力側には電圧検出手段１４が設置されており、その検出信号は、インバータ制御装置１３に入力されている。
【０００９】
従インバータ２１は電流制御を行うインバータで、直流電源２０はインバータ２１内のインバータブリッジ２２の直流側に接続されている。
【００１０】
インバータブリッジ２２の交流出力側には電圧検出手段２４及び電流検出手段２５が設置されており、その検出信号は、インバータ制御装置２３に入力されている。主インバータと従インバータは同一の母線に接続されており、共通の負荷１へ電力を供給する。負荷変動は、電圧制御インバータ１１が出力を変化させて対応し、電流制御インバータ２１は一定の出力を供給し続ける。
【特許文献１】特開２００２−３６９５４１公報
【発明の開示】
【発明が解決しようとする課題】
【００１１】
上記方式では、負荷１が電流制御インバータ２１の容量以下に減少した場合に、負荷１で消費されない余剰電力が電圧制御インバータ１１に逆流し、電圧制御インバータ１１が過電圧等により停止したりするという問題があった。
【００１２】
本発明は、複雑な電流信号のやりとりや、補正回路を設置すること無しに、負荷が変動した場合においても安定して並列運転を可能とし、従インバータを効率の高い出力範囲で極力運転することが可能なインバータシステムの並列運転装置及びその並列運転方法を提供することを目的とする。
【課題を解決するための手段】
【００１３】
前記目的を達成するため、請求項１に対応する発明は、インバータブリッジ及び該インバータブリッジの交流側の交流電圧が一定となるように制御する制御装置を備えた電圧制御方式の主インバータから得られる交流電力、並びに、インバータブリッジ及び該インバータブリッジの交流側の交流電力が一定となるように制御する制御装置を備えた少なくとも１台の電流制御方式の従インバータから得られる交流電力を共通の交流負荷に供給するものであって、前記主インバータ及び前記従インバータの直流側にはそれぞれバッテリ、燃料電池等の直流電源からの直流電力を供給し、前記負荷に電力系統からの交流電力が供給されない構成であって、前記主インバータ及び前記従インバータの並列運転のみで前記負荷に電力を供給するインバータシステムにおいて、前記従インバータから前記負荷に供給される電力及び前記負荷で消費される消費電力を比較し、前記消費電力が前記従インバータから前記負荷に供給される電力より低下したとき、前記従インバータの制御する制御装置の電流制御設定値を下げる並列運転制御装置を備え、前記電流制御設定値を下げることで、前記従インバータからの電力が前記負荷に消費されない余剰電力に相当する分が減らされるようにしたインバータシステムの並列運転装置である。  
前記目的を達成するため、請求項２に対応する発明は、インバータブリッジ及び該インバータブリッジの交流側の交流電圧が一定となるように制御する制御装置を備えた電圧制御方式の主インバータから得られる交流電力、並びに、インバータブリッジ及び該インバータブリッジの交流側の交流電力が一定となるように制御する制御装置を備えた少なくとも１台の電流制御方式の従インバータから得られる交流電力を共通の交流負荷に供給するものであって、前記主インバータ及び前記従インバータの直流側にはそれぞれバッテリ、燃料電池等の直流電源からの直流電力を供給し、前記負荷に電力系統からの交流電力が供給されない構成であって、前記主インバータ及び前記従インバータの並列運転のみで前記負荷に電力を供給するインバータシステムにおいて、前記負荷と前記インバータとの電気接続線に並列に接続した逆流防止用模擬負荷と、前記模擬負荷及び前記インバータと前記負荷の電気接続線との間であって前記模擬負荷を電気的に接離する模擬負荷接続手段と、前記従インバータから前記負荷に供給される電力及び前記負荷で消費される消費電力を比較し、前記消費電力が前記従インバータから前記負荷に供給される電力より低下したとき、前記模擬負荷接続手段に対して前記模擬負荷を電気的に接続するための指令を出力する並列運転制御装置を備え、前記模擬負荷を接続することで、前記従インバータからの電力が前記負荷に消費されない余剰電力に相当する分が下げられるようにしたインバータシステムの並列運転装置である。
【００１４】
前記目的を達成するため、請求項６に対応する発明は、インバータブリッジ及び該インバータブリッジの交流側の交流電圧が一定となるように制御する制御装置を備えた電圧制御方式の主インバータから得られる交流電力、並びに、インバータブリッジ及び該インバータブリッジの交流側の交流電力が一定となるように制御する制御装置を備えた少なくとも１台の電流制御方式の従インバータから得られる交流電力を共通の交流負荷に供給するものであって、前記主インバータ及び前記従インバータの直流側にはそれぞれバッテリ、燃料電池等の直流電源からの直流電力を供給し、前記負荷に電力系統からの交流電力が供給されない構成であって、前記主インバータ及び前記従インバータの並列運転のみで前記負荷に電力を供給するインバータシステムにおいて、前記従インバータから前記負荷に供給される電力及び前記負荷で消費される消費電力を比較し、前記消費電力が前記従インバータから前記負荷に供給される電力より低下したとき、前記従インバータから前記負荷に供給される電力のうち、前記従インバータからの電力が前記負荷に消費されない余剰電力に相当する分だけ減少させるようにしたことを特徴とするインバータシステムの並列運転方法である。
【００１５】
前記目的を達成するため、請求項７に対応する発明は、インバータブリッジ及び該インバータブリッジの交流側の交流電圧が一定となるように制御する制御装置を備えた電圧制御方式の主インバータから得られる交流電力、並びに、インバータブリッジ及び該インバータブリッジの交流側の交流電力が一定となるように制御する制御装置を備えた少なくとも１台の電流制御方式の従インバータから得られる交流電力を共通の交流負荷に供給するものであって、前記主インバータ及び前記従インバータの直流側にはそれぞれバッテリ、燃料電池等の直流電源からの直流電力を供給し、前記負荷に電力系統からの交流電力が供給されない構成であって、前記主インバータ及び前記従インバータの並列運転のみで前記負荷に電力を供給するインバータシステムにおいて、前記従インバータから前記負荷に供給される電力及び前記負荷で消費される消費電力を比較し、前記消費電力が前記従インバータから前記負荷に供給される電力より低下したとき、前記従インバータに対して逆流防止用模擬負荷を電気的に接続することで、前記従インバータからの電力が前記負荷に消費されない余剰電力に相当する分が下げられるようにしたインバータシステムの並列運転方法である。
【発明の効果】
【００１６】
本発明によれば、複雑な電流信号のやりとりや、補正回路を設置すること無しに、負荷が変動した場合においても安定して並列運転を可能とし、従インバータを効率の高い出力範囲で極力運転することが可能なインバータシステムの並列運転装置及びその並列運転方法を提供することができる。
【発明を実施するための最良の形態】
【００１７】
（実施形態１）
（構成）
図１は本発明のインバータシステムの並列運転装置に係る実施形態１のブロック構成図である。図１のインバータシステムは、1台の電圧制御方式の主インバータ１１から得られる交流電力と、少なくとも１台 の電流制御方式の従インバータ２１から得られる交流電力を共通の負荷１に供給し、各インバータ１１、２１の直流側には、それぞれバッテリ、燃料電池等の直流電源１０、２０からの直流電力を供給するものであって、負荷１には電力系統からの交流電力が供給されない構成となっている。
【００１８】
主インバータ１１は、インバータブリッジ１２及び該インバータブリッジ１２の交流側の交流電圧が一定となるように、負荷１の電圧を電圧検出手段１４により検出し、この検出電圧が任意の値に設定可能な電圧基準と一致するように制御する制御装置１３を備えたものである。従インバータ２１は、インバータブリッジ２２及び該インバータブリッジ２２の交流側の交流電力が一定となるように、インバータブリッジ２２の出力電圧を電圧検出手段２４により検出した電圧検出値及び負荷1に流れる電流を電流検出手段２５により検出した電流検出値をともに入力し、インバータブリッジ２２の出力電力を演算すると共に、インバータブリッジ２２の出力電力を一定に制御する制御装置２３を備えたものである。
【００１９】
以上のような構成のインバータシステムにおいて、次に述べるような並列運転制御装置４を設けたことを特徴とするものである。並列運転制御装置４は、図２に示す従インバータ２１から負荷１に供給される電力ＳＰ１及び負荷１で消費される消費電力(負荷電力)Ｌ１を比較し、消費電力Ｌ１が従インバータ２１から負荷１に供給される電力ＳＰ１より低下したとき、従インバータ２１を制御する制御装置２３の電流制御設定値を下げる。このような並列運転制御装置４により、電流制御設定値５を下げることで、従インバータ２１からの電力が負荷１に消費されない余剰電力に相当する分が減らされるようにしたものである。
【００２０】
並列運転制御装置４は、以下に述べる消費電力の演算と、後述する電力供給の状態を判断する判断機能を備えている。すなわち、負荷１と各インバータ１１、２１を接続している電気接続線（母線）に直列に設けられ、負荷１に実際に流れる負荷電流３を連続的に検出する負荷電流検出手段２からの検出値と、電気接続線に並列に設けられ、負荷１に実際に印加される電圧３１を検出する電圧検出手段３０からの検出値に基づいて負荷１で消費される消費電力Ｌ１を連続的に演算する消費電力演算手段を備えている。
【００２１】
（作用）
以上述べた実施形態において、主インバータ１１は電圧検出手段１４の計測値が電圧基準と一致するように、電圧制御を行い、負荷１に交流電力を供給する。その後、主インバータ１１の電圧を基準として、従インバータ２１は電流制御にて、インバータ１１の電力系統へ連系し、所定の電力を供給する。負荷が変動した場合は、電圧制御であるインバータ１１の出力が変化し、電流制御であるインバータ２１の出力は変化せず、効率の高い運転状態を継続する。図２に示すように、負荷１の消費電力Ｌ１が減少し、負荷電流信号３および電圧検出値３１から算出される消費電力Ｌ１が電流制御インバータ２１の出力電力ＳＰ１以下となる場合には、並列運転制御装置４が消費電力Ｌ１と電流制御インバータ２１の出力電力ＳＰ１を比較し、負荷１にて消費されない余剰電力に相当する分だけ出力設定値を下げるための指令５を制御装置２３へ出力し、従インバータ２１の出力電力を高速に低減または停止する。
【００２２】
（効果）
本実施形態１によれば、負荷１が従インバータ２１の出力電力以下に低下した場合においても、負荷１により消費されない余剰電力は、従インバータ２１の出力電力が急激に低下するため、従インバータ２１の出力電力が負荷１より低下し、インバータ１１へ逆流することはない。その結果、インバータ１１が過電圧等により停止することなく、また、電流制御インバータは可能な限り高い出力を継続し、安定した高効率な並列運転を継続することができる。
【００２３】
（実施形態２）
（構成）
図３は本発明のインバータシステムの並列運転装置に係る実施形態２のブロック構成図である。図１の実施形態と異なる点は、負荷１の消費電力の演算の仕方が異なるだけで、この点以外は図１と同一であるので、図１と同一の構成には同一の符号を付し、重複する説明は省略する。主インバータ１１のインバータブリッジ１２の直流電源１０側の電気接続線(母線)に、並列に直流電圧検出手段１６を接続し、直流電圧検出手段１６で検出した検出電圧を、並列運転制御装置４を入力するようにしている。並列運転制御装置４内に、例えば記憶装置(図示せず)を設け、この記憶装置内に、実験等により予め作成された直流電圧−消費電力の対応関係を示した図が記憶され、この記憶内容は、読出し可能になっており、直流電圧検出手段１６により直流電圧が検出されると、この検出電圧に対応する消費電力が求められるように消費電力演算手段を備えている。並列運転制御装置４は、これ以外に実施形態１と同様に、消費電力と従インバータ２１から負荷１に供給される出力電力ＳＰ１との比較を行い、消費電力が従インバータ２１から負荷１に供給される電力より低下したとき、従インバータ２１を制御する制御装置２３の電流制御設定値を下げる機能を備えている。
【００２４】
（作用）
実施形態２において、主インバータ１１は電圧検出手段１４の計測値が電圧基準と一致するように、電圧制御を行い、負荷１に交流電力を供給する。その後、インバータ１１の電圧を基準として、従インバータ２１は電流制御にて、インバータ１１の電気接続線(電力系統)へ連系し、所定の電力を供給する。負荷1が変動した場合は、電圧制御であるインバータ１１の出力が変化し、電流制御であるインバータ２１の出力は変化せず、効率の高い運転状態を継続する。
【００２５】
図２に示すように、負荷１の消費電力Ｌ１が減少し、従インバータ２１の出力電力ＳＰ１以下となる場合には、直流電圧検出手段１６の電圧が上昇する。直流電圧信号６が所定の値以上となった場合は、並列運転制御装置４が従インバータ２１の制御装置２３へ、直流電圧６が所定の値以下となるまで出力を下げる電流制御設定変更指令５を出力し、電流制御インバータの出力電力を高速に低減または停止する。
【００２６】
（効果）
本実施形態２によれば、負荷１が電流制御インバータ２１の出力電力以下に低下した場合においても、負荷１により消費されない余剰電力は、電流制御インバータ２１の出力が急激に低下するため、電流制御インバータ２１の出力電力が負荷１より低下し、インバータ１１へ逆流することはない。その結果、インバータ１１が過電圧等により停止することなく、また、電流制御インバータは可能な限り高い出力を継続し、安定した高効率な並列運転を継続することができる。
【００２７】
（実施形態３）
（構成）
図４は本発明のインバータシステムの並列運転装置に係る実施形態３のブロック構成図である。図１の実施形態と異なる点は、負荷１とインバータ１１、２１との電気接続線に並列に接続した逆流防止用模擬負荷９と、模擬負荷９及びインバータ１１、２１と負荷１の電気接続線との間であって模擬負荷９を電気的に接離する模擬負荷接続手段例えば負荷投入遮断スイッチ８を新たに追加したことである。負荷投入遮断スイッチ８に対して投入指令は、次のようになったとき並列運転制御装置４により与えられる。
【００２８】
すなわち、並列運転制御装置４は従インバータ２１から負荷１に供給される電力及び負荷１で消費される消費電力（電圧検出手段３０の検出値と電流検出手段２の検出値に基づいて演算される電力）を比較し、消費電力が従インバータ２１から負荷１に供給される電力ＳＰ１より低下したとき、負荷投入遮断スイッチ８に対して模擬負荷９を電気的に接続するための指令を出力する。このように模擬負荷９を接続することで、従インバータ２１からの電力が負荷１に消費されない余剰電力に相当する分が下げられるようになる。
【００２９】
（作用）
本発明の実施形態３の主インバータ１１は電圧検出手段１４の計測値が電圧基準と一致するように、電圧制御を行い、負荷１に交流電力を供給する。その後、インバータ１１の電圧を基準として、従インバータ２１は電流制御にて、インバータ１１の電気接続線（電力系統）へ連系し、所定の電力を供給する。負荷１が変動した場合は、電圧制御であるインバータ１１の出力が変化し、電流制御であるインバータ２１の出力は変化せず、効率の高い運転状態を継続する。この結果、図４の構成の場合には、負荷１が減少し、電流制御インバータ２１の出力電力以下となる状態を負荷電流信号３の値により判断する。この場合も、負荷投入遮断スイッチ８へ閉信号を伝送し、逆流防止用模擬負荷９を繋ぐ。
【００３０】
（効果）
本実施形態３によれば、負荷１が電流制御インバータ２１の出力電力以下に低下した場合においても、余剰電力は、負荷投入遮断スイッチ８を通して逆流防止用模擬負荷９によって消費されるため、インバータ１１へ逆流することはない。その結果、インバータ１１が過電圧等により停止することなく、安定して並列運転を継続することができる。
【００３１】
（実施形態４）
（構成）
図５は本発明のインバータシステムの並列運転装置に係る実施形態４のブロック構成図である。図４の実施形態３と異なる点は、負荷１の消費電力の演算の仕方が異なるだけで、この点以外は図４と同一であるので、図４と同一の構成には同一の符号を付し、重複する説明は省略する。主インバータ１１のインバータブリッジ１２の直流電源１０側の電気接続線(母線)に、並列に直流電圧検出手段１６を接続し、直流電圧検出手段１６で検出した検出電圧を、並列運転制御装置４を入力するようにしている。並列運転制御装置４内に、例えば記憶装置(図示せず)を設け、この記憶装置内に、実験等により予め作成された直流電圧−消費電力の対応関係を示した図が記憶され、この記憶内容は、読出し可能になっており、直流電圧検出手段１６により直流電圧が検出されると、この検出電圧に対応する消費電力が求められるように消費電力演算手段を備えている。並列運転制御装置４は、これ以外に実施形態４と同様に、消費電力と従インバータ２１から負荷１に供給される電力ＳＰ１との比較を行い、消費電力が前記従インバータから前記負荷に供給される電力より低下したとき、負荷投入遮断スイッチ８に対して模擬負荷９を電気的に接続するための指令を出力する。このように模擬負荷９を接続することで、従インバータ２１からの電力が負荷１に消費されない余剰電力に相当する分が下げられるようになる。
【００３２】
（作用）
図５の実施形態４において、インバータ１１は電圧検出手段１４の計測値が電圧基準と一致するように、電圧制御を行い、負荷１に交流電力を供給する。その後、インバータ１１の電圧を基準として、インバータ２１は電流制御にて、インバータ１１の電力系統へ連系し、所定の電力を供給する。負荷１が変動した場合は、電圧制御であるインバータ１１の出力が変化し、電流制御であるインバータ２１の出力は変化せず、効率の高い運転状態を継続する。この構成の場合には、負荷１が減少し、インバータ２１の出力電力以下となる状態を直流電圧信号６の値により判断する。この場合も、負荷投入遮断スイッチ８へ閉信号を伝送し、逆流防止用模擬負荷９を繋ぐ。
【００３３】
（効果）
本実施形態４によれば、負荷１がインバータ２１の出力電力以下に低下した場合においても、余剰電力は、負荷投入遮断スイッチ８を通して逆流防止用模擬負荷９によって消費されるため、インバータ１１へ逆流することはない。その結果、インバータ１１が過電圧等により停止することなく、安定して並列運転を継続することができる。
【００３４】
(変形例)
前述した本発明の実施形態１、２、３、４は、いずれもインバータシステムの並列運転装置について説明したが、以下に述べる本発明のインバータシステムの並列運転方法を適用しても本発明の目的を達成することができる。すなわち、インバータシステムの並列運転方法の第１は、図６の従来のインバータシステムにおいて、何等かの手段を用いて「従インバータ２１から負荷１に供給される電力及び負荷１で消費される消費電力を比較し、消費電力が従インバータ２１から負荷１に供給される電力より低下したとき、従インバータ２１から負荷１に供給される電力のうち、従インバータ２１からの電力が負荷１に消費されない余剰電力に相当する分だけ減少させるようにしたインバータシステムの並列運転方法」である。
【００３５】
また、インバータシステムの並列運転方法の第２は、図６の従来のインバータシステムにおいて、何等かの手段を用いて「従インバータ２１から負荷１に供給される電力及び負荷１で消費される消費電力を比較し、消費電力が従インバータ２１から負荷１に供給される電力より低下したとき、例えば図４、図５に示すように従インバータ２１に対して逆流防止用模擬負荷９を電気的に接続することで、従インバータ２１からの電力が負荷１に消費されない余剰電力に相当する分が下げられるようにしたインバータシステムの並列運転方法。」である。
【００３６】
前述の図１の実施形態及び図４の実施形態では、負荷１での消費電力を、電流検出手段２による実際の検出電流と、電圧検出手段３０で実際に検出した検出電圧とに基づいて演算する例について説明したが、このうちの電圧検出手段３０で実際に検出した検出電圧を使用せずに、これに代えて負荷１に印加されると思われる非測定の設定電圧値を用いるようにしてもよい。
【００３７】
さらに、前述の実施形態１、２、３、４のいずれも従インバータ２１が１台の場合について説明したが、これを２台以上に構成してもよく、この場合には並列運転制御装置４と各従インバータ２１にそれぞれ有する制御装置２３との信号授受は、各実施形態と同様に行われるばかりでなく、また負荷１に供給される電力は、従インバータ２１の台数全部の合計を何らかの手段により求めることは言うまでもない。 
【図面の簡単な説明】
【００３８】
【図１】本発明のインバータシステムの並列運転装置に係る実施形態１を説明するためのブロック構成図。
【図２】本発明の作用の説明図。
【図３】本発明のインバータシステムの並列運転装置に係る実施形態２を説明するためのブロック構成図。
【図４】本発明のインバータシステムの並列運転装置に係る実施形態３を説明するためのブロック構成図。
【図５】本発明のインバータシステムの並列運転装置に係る実施形態４を説明するためのブロック構成図。
【図６】従来のインバータシステムの並列運転装置の概要を説明するためのブロック構成図。
【符号の説明】
【００３９】
１…負荷、２…電流検出手段、３…負荷電流、４…並列運転制御装置、５…電流制御設定変更指令、６…直流電圧、７…負荷投入遮断スイッチ開閉指令、８…負荷投入遮断スイッチ、９…逆流防止用模擬負荷、１０…直流電源、１１…電圧制御方式の主インバータ、
１２…インバータブリッジ、１３…制御装置、１４…電圧検出手段、１６…直流電圧検出手段、２０…直流電源、２１…電流制御方式の従インバータ、２２…インバータブリッジ、２３…制御装置、２４…電圧検出手段、２５…電流検出手段、３０…電圧検出手段、３１…負荷電圧。
【図１】
2006223042.tif 000003
【図２】
2006223042.tif 000004
【図３】
2006223042.tif 000005
【図４】
2006223042.tif 000006
【図５】
2006223042.tif 000007
【図６】
2006223042.tif 000008